(57)【特許請求の範囲】
【請求項１】
移動機と通信する他の基地局装置から当該他の基地局装置と前記移動機との間の伝搬遅延量を取得する取得部と、
前記取得部により取得された伝搬遅延量に基づいて、自装置と前記移動機との間の伝搬遅延量を推定する推定部と、
前記推定部により推定された前記自装置と前記移動機との間の伝搬遅延量が、前記移動機から送信されるプリアンブル系列の検出に用いられる検出窓の境界から所定の範囲に存在する場合に、当該境界を介して隣接する他の検出窓に対応する前記プリアンブル系列の送信を停止するよう前記移動機に対して指示する指示部と
を備えたことを特徴とする基地局装置。
【請求項２】
前記指示部は、前記推定部により推定された前記自装置と前記移動機との間の伝搬遅延量が前記検出窓の始端側の境界から所定の範囲に存在する場合に、当該始端側の境界を介して前記検出窓に隣接する他の検出窓に対応するプリアンブル系列の送信を停止するよう前記移動機に対して指示し、前記推定部により推定された前記自装置と前記移動機との間の伝搬遅延量が前記検出窓の終端側の境界から所定の範囲に存在する場合に、当該終端側の境界を介して前記検出窓に隣接する他の検出窓に対応するプリアンブル系列の送信を停止するよう前記移動機に対して指示することを特徴とする請求項１に記載の基地局装置。
【請求項３】
前記移動機から送信されるプリアンブル系列を前記検出窓を用いて検出する検出部をさらに備え、
前記指示部は、前記他の検出窓に対応するプリアンブル系列の送信を停止するよう前記移動機に対して指示するとともに、前記他の検出窓を用いたプリアンブル系列の検出を停止するよう前記検出部に対して指示することを特徴とする請求項１に記載の基地局装置。
【請求項４】
前記推定部は、前記他の基地局装置と自装置との間の伝搬遅延量から前記取得部により取得された伝搬遅延量を減算して仮の伝搬遅延量を算出し、前記他の基地局装置のセクタと重複する自装置のセクタに対応して予め定められた補正係数を用いて前記仮の伝搬遅延量を補正することにより、自装置と前記移動機との間の伝搬遅延量を推定することを特徴とする請求項１に記載の基地局装置。
【請求項５】
基地局装置が、
移動機と通信する他の基地局装置から当該他の基地局装置と前記移動機との間の伝搬遅延量を取得し、
前記取得された伝搬遅延量に基づいて、前記自装置と前記移動機との間の伝搬遅延量を推定し、推定された前記自装置と前記移動機との間の伝搬遅延量が、前記移動機から送信されるプリアンブル系列の検出に用いられる検出窓の境界から所定の範囲に存在する場合に、当該境界を介して隣接する他の検出窓に対応する前記プリアンブル系列の送信の停止を指示する信号を前記移動機に対して送信し、
前記移動機が、前記基地局装置から送信された前記プリアンブル系列の送信を停止することを指示する前記信号を受信する、
ことを含むことを特徴とする通信制御方法。
【請求項６】
基地局装置が、
移動機と通信する他の基地局装置から当該他の基地局装置と前記移動機との間の伝搬遅延量を取得する取得部と、
前記取得部により取得された伝搬遅延量に基づいて、前記自装置と前記移動機との間の伝搬遅延量を推定する推定部と、
前記推定部により推定された前記自装置と前記移動機との間の伝搬遅延量が、前記移動機から送信されるプリアンブル系列の検出に用いられる検出窓の境界から所定の範囲に存在する場合に、当該境界を介して隣接する他の検出窓に対応する前記プリアンブル系列の送信の停止を指示する信号を前記移動機に対して送信する無線送受信部とを備え、
移動機が、
前記基地局装置から送信された前記プリアンブル系列の送信を停止することを指示する前記信号を受信する受信部を備えた
ことを特徴とする無線通信システム。
【発明の詳細な説明】
【技術分野】
【０００１】
本発明は、基地局装置、通信制御方法および無線通信システムに関する。
【背景技術】
【０００２】
ＬＴＥでは、上りリンクの同期を確立する際やハンドオーバを実行する際に、上り方向のチャネルであるＲＡＣＨ（Random Access CHannel）を用いたプリアンブル信号の送信が行われる。すなわち、送信側の移動機は、所定のプリアンブル系列をＲＡＣＨへ送信する。一方、受信側の基地局装置は、移動機から到来するプリアンブル系列と既知のデータ系列とを相関演算して遅延プロファイルを求め、求めた遅延プロファイルのピークと閾値とを検出窓を用いて比較することにより、プリアンブル信号の送信の有無を検出する。
【０００３】
このようなプリアンブルの検出手法では、移動機から到来するプリアンブル系列にノイズやフェージングなどの伝搬環境要因が付与された場合に、プリアンブル信号が誤検出されることがある。具体的には、移動機から到来するプリアンブル系列にノイズやフェージングなどの伝搬環境要因が付与された場合には、遅延プロファイルのピークが変動する。すると、実際は移動機からプリアンブル信号が送信されていないにも関わらず、基地局装置が、検出窓において遅延プロファイルのピークが所定の閾値を超えたと判定し、移動機からプリアンブル信号の送信があったことを誤って検出する。以下では、移動機からプリアンブル信号の送信があったことを誤って検出することを、「プリアンブル信号の誤検出」と呼ぶこととする。
【０００４】
そこで、プリアンブル信号の誤検出を回避するために、移動機と基地局装置との間の伝搬遅延量に応じて検出窓の幅を調整する従来技術が提案されている。この従来技術では、検出窓の幅を調整することにより、隣接する他の検出窓に対応するプリアンブル系列との干渉を抑制することができ、プリアンブル信号の誤検出を低減することができる。
【先行技術文献】
【特許文献】
【０００５】
【特許文献１】国際公開第２００８／０１６１１２号
【特許文献２】国際公開第２００８／１２９７９７号
【発明の概要】
【発明が解決しようとする課題】
【０００６】
しかしながら、検出窓の幅を調整する従来技術では、移動機が基地局の近傍または基地局の収容するセルの端部に存在する場合に、プリアンブル信号を誤検出する恐れがあるという問題がある。
【０００７】
すなわち、移動機が基地局の近傍またはセルの端部に存在する場合には、遅延プロファイルのピークが検出窓の境界付近に発生し、遅延プロファイルのサイドローブが隣接する他の検出窓に漏れ込むことがある。このような場合に、上記した従来技術では、上りリンクの同期を確立する際やハンドオーバを実行する際に、移動機によるプリアンブル系列の送信が開始されるとき、まず、基地局が、系列番号の若番から老番となる順番で全てのプリアンブル系列を用いて送信を行うように移動機に対して指示する。このため、従来技術では、全ての検出窓に対応するプリアンブル系列が移動機から基地局へ送信され、遅延プロファイルのサイドローブが漏れ込んだ他の検出窓において遅延プロファイルのピークが所定の閾値を超えたと誤って判定されてしまう。結果として、プリアンブル信号を誤検出する恐れがある。
【０００８】
開示の技術は、上記に鑑みてなされたものであって、移動機が基地局の近傍またはセルの端部に存在する場合のプリアンブル信号の誤検出を回避することができる基地局装置、通信制御方法および無線通信システムを提供することを目的とする。
【課題を解決するための手段】
【０００９】
本願の開示する基地局装置は、取得部と、指示部とを備える。取得部は、移動機と通信する他の基地局装置から当該他の基地局装置と前記移動機との間の伝搬遅延量を取得する。指示部は、前記取得部により取得された伝搬遅延量に基づく、自装置と前記移動機との間の伝搬遅延量が、前記移動機から送信されるプリアンブル系列の検出に用いられる検出窓の境界から所定の範囲に存在する場合に、当該境界を介して隣接する他の検出窓に対応する前記プリアンブル系列の送信を停止するよう前記移動機に対して指示する。
【発明の効果】
【００１０】
本願の開示する基地局装置の一つの態様によれば、移動機が基地局の近傍またはセルの端部に存在する場合のプリアンブル信号の誤検出を回避することができるという効果を奏する。
【図面の簡単な説明】
【００１１】
【図１】図１は、プリアンブル系列の一例を示す図である。
【図２】図２は、プリアンブル系列の検出を説明するための図である。
【図３】図３は、プリアンブル検出窓内の遅延プロファイルのピークの位置と、基地局装置と移動機との間の伝搬遅延量との関係を示す図である。
【図４】図４は、従来のプリアンブル系列の送信方法を説明するための図である。
【図５】図５は、本実施例のプリアンブル系列の送信方法を説明するための図である。
【図６】図６は、本実施例に係る基地局装置を含む無線通信システムの構成例を示す図である。
【図７】図７は、伝搬遅延量推定部による処理の一例を説明するための図（その１）である。
【図８】図８は、伝搬遅延量推定部による処理の一例を説明するための図（その２）である。
【図９】図９は、補正係数テーブルの一例を示す図である。
【図１０】図１０は、推定伝搬遅延量がプリアンブル検出窓の始端側の境界近傍に存在する場合のプリアンブル系列の送信指示を説明するための図である。
【図１１】図１１は、推定伝搬遅延量がプリアンブル検出窓の終端側の境界近傍に存在する場合のプリアンブル系列の送信指示を説明するための図である。
【図１２】図１２は、推定伝搬遅延量がプリアンブル検出窓の始端側の境界近傍に存在するＵＥが１つである場合のプリアンブル系列の送信を示す図である。
【図１３】図１３は、推定伝搬遅延量がプリアンブル検出窓の始端側の境界近傍に存在するＵＥが２つである場合のプリアンブル系列の送信を示す図である。
【図１４】図１４は、推定伝搬遅延量がプリアンブル検出窓の終端側の境界近傍に存在するＵＥが１つである場合のプリアンブル系列の送信を示す図である。
【図１５】図１５は、推定伝搬遅延量がプリアンブル検出窓の始端側の境界近傍に存在するＵＥが２つである場合のプリアンブル系列の送信を示す図である。
【図１６】図１６は、本実施例に係る基地局装置による処理手順を示すフローチャートである。
【図１７】図１７は、プリアンブル系列送信指示処理の処理手順を示すフローチャートである。
【発明を実施するための形態】
【００１２】
以下に、本願の開示する基地局装置、通信制御方法および無線通信システムの実施例を図面に基づいて詳細に説明する。なお、この実施例によりこの発明が限定されるものではない。
【実施例】
【００１３】
まず、実施例の説明を行う前に、ＲＡＣＨを用いて送信されるプリアンブル系列について説明する。送信側の移動機は、所定のプリアンブル系列をＲＡＣＨへ送信する。図１は、プリアンブル系列の一例を示す図である。図１に示すように、ＲＡＣＨを用いて送信されるプリアンブル系列は、Ｚａｄｏｆｆ−Ｃｈｕ系列を巡回シフト（ＣＳ：Cyclic shift）することで生成される。ここでは、一例として、Ｚａｄｏｆｆ−Ｃｈｕ系列を巡回シフトすることでＮ個（系列番号ＣＳ＝０〜Ｎ−１）のプリアンブル系列が生成された場合を示している。なお、図１の黒色の四角は、プリアンブル系列の先頭位置を示す。
【００１４】
一方、受信側の基地局装置は、プリアンブル系列の送信の有無を検出する。図２は、プリアンブル系列の検出を説明するための図である。図２に示すように、まず、基地局装置は、移動機から送信されるプリアンブル系列の検出に用いられる監視区間であるプリアンブル検出窓をプリアンブル系列の系列番号（ＣＳ＝０〜Ｎ−１）に対応付けて生成する。そして、基地局装置は、移動機から到来するプリアンブル系列と既知のプリアンブル系列とを相関演算して遅延プロファイルを求め、求めた遅延プロファイルのピークと閾値とをプリアンブル検出窓内で比較することで、プリアンブル系列の送信の有無を検出する。ここでは、系列番号ＣＳ＝０に対応するプリアンブル検出窓における遅延プロファイルのピークが閾値を超えているため、系列番号ＣＳ＝０に対応するプリアンブル検出窓においてプリアンブル系列の送信が有ったことが検出される。なお、図２において、横軸は時間を表し、縦軸は電力レベルを表している。
【００１５】
次いで、プリアンブル検出窓内の遅延プロファイルのピークの位置と、基地局装置と移動機との間の伝搬遅延量との関係を説明する。図３は、プリアンブル検出窓内の遅延プロファイルのピークの位置と、基地局装置と移動機との間の伝搬遅延量との関係を示す図である。図３の状態３１は、基地局装置（ｅＮＢ：evolutional Node B）と移動機（ＵＥ：User Equipment）との間の伝搬遅延量がΔｔ１である場合を示す。図３の状態３２は、ｅＮＢとＵＥとの間の伝搬遅延量がΔｔ２である場合を示す。なお、Δｔ１＜Δｔ２であるものとする。
【００１６】
図３の状態３１および状態３２で示されるように、ｅＮＢとＵＥとの間の伝搬遅延量は、プリアンブル検出窓内の遅延プロファイルのピークの位置に相当する。また、ｅＮＢとＵＥとの間の伝搬遅延量がプリアンブル検出窓の始端側の境界付近に存在することは、ＵＥがｅＮＢの近傍に存在することを意味する。また、ｅＮＢとＵＥとの間の伝搬遅延量がプリアンブル検出窓の終端側の境界付近に存在することは、ＵＥがｅＮＢにより収容されるセルの端部に存在することを意味する。
【００１７】
特に、ＵＥがｅＮＢの近傍またはｅＮＢにより収容されるセルの端部に存在する場合には、遅延プロファイルのピークがプリアンブル検出窓の境界付近に発生する。すると、遅延プロファイルのサイドローブが隣接する他のプリアンブル検出窓に漏れ込む。言い換えると、ｅＮＢとＵＥとの伝搬遅延量がプリアンブル検出窓の境界付近に存在する場合には、遅延プロファイルのサイドローブが隣接する他のプリアンブル検出窓に漏れ込む。例えば、図３の状態３３では、ｅＮＢとＵＥとの伝搬遅延量が系列番号ＣＳ＝Ｎ−１のプリアンブル検出窓の始端側の境界付近に存在するため、遅延プロファイルのサイドローブが、隣接する系列番号ＣＳ＝Ｎ−２のプリアンブル検出窓に漏れ込む場合を示している。このように、あるプリアンブル検出窓内の遅延プロファイルのサイドローブが隣接する他のプリアンブル検出窓に漏れ込むと、ｅＮＢは、他のプリアンブル検出窓において遅延プロファイルのピークが所定の閾値を超えたと誤って判定してしまう。
【００１８】
次に、本実施例の基地局装置を含む無線通信システムによるプリアンブル系列の送信方法を説明する前に、その前提となる従来のプリアンブル系列の送信方法について説明する。
【００１９】
図４は、従来のプリアンブル系列の送信方法を説明するための図である。なお、図４では、基地局装置（ｅＮＢ）との間の通信を既に確立している移動機（ＵＥ）がハンドオーバやフレームの再同期を実行する際に実行されるプリアンブル系列の送信を示している。
【００２０】
まず、ｅＮＢは、送信すべきプリアンブル系列を指示するＲＡ  Ｐｒｅａｍｂｌｅ  ａｓｓｉｇｎｍｅｎｔ信号をＵＥに対して送信する（図４の（１）参照）。このとき、ｅＮＢは、系列番号の若番から老番となる順序での割り当てにて、プリアンブル系列の送信を行う旨の指示をＲＡ  Ｐｒｅａｍｂｌｅ  ａｓｓｉｇｎｍｅｎｔ信号としてＵＥに対して送信する。
【００２１】
続いて、ＲＡ  Ｐｒｅａｍｂｌｅ  ａｓｓｉｇｎｍｅｎｔ信号を受信したＵＥは、Ｒａｎｄｏｍ  Ａｃｃｅｓｓ  Ｐｒｅａｍｂｌｅ信号をｅＮＢに対して送信する（図４の（２）参照）。このとき、ＵＥは、系列番号の若番から老番となる順序での割り当てにて、プリアンブル系列をＲａｎｄｏｍ  Ａｃｃｅｓｓ  Ｐｒｅａｍｂｌｅ信号としてｅＮＢに対して送信する。
【００２２】
続いて、Ｒａｎｄｏｍ  Ａｃｃｅｓｓ  Ｐｒｅａｍｂｌｅ信号を受信したｅＮＢは、Ｒａｎｄｏｍ  Ａｃｃｅｓｓ  Ｒｅｓｐｏｎｓｅ信号をＵＥに対して返信する（図４の（３）参照）。例えば、ｅＮＢは、自身で検出したプリアンブル系列の系列番号などの情報をＲａｎｄｏｍ  Ａｃｃｅｓｓ  Ｒｅｓｐｏｎｓｅ信号としてＵＥに対して返信する。
【００２３】
次いで、上記図４に示したプリアンブル系列の送信方法における問題点を説明する。上記図４に示した例では、ＵＥによるプリアンブル系列の送信が開始される際に、まず、ｅＮＢが、系列番号の若番から老番となる順序で割り当てを行い、全てのプリアンブル系列を用いて送信を行うようにＵＥに対して指示する。そのため、ｅＮＢにて生成された全てのプリアンブル検出窓に対応するプリアンブル系列が各ＵＥからｅＮＢへ送信される。したがって、あるプリアンブル検出窓内の遅延プロファイルのサイドローブが漏れ込んだ隣接する他のプリアンブル検出窓において、遅延プロファイルのピークが所定の閾値を超えたと誤って判定される可能性がある。結果として、プリアンブル信号が誤検出される恐れがある。
【００２４】
例えば、図３の状態３３で示した系列番号ＣＳ＝Ｎ−２のプリアンブル検出窓は、系列番号ＣＳ＝Ｎ−１のプリアンブル検出窓内の遅延プロファイルのサイドローブが漏れ込んでいる。このため、系列番号ＣＳ＝Ｎ−２のプリアンブル検出窓において遅延プロファイルのピークが所定の閾値を超えたと誤って判定され、その結果、プリアンブル信号が誤検出される。
【００２５】
そこで、本実施例では、ＵＥに対するプリアンブル系列の送信指示を工夫することにより、従来のプリアンブル系列の送信方法におけるプリアンブル信号の誤検出の問題点を回避する。
【００２６】
次に、本実施例のプリアンブル系列の送信方法について説明する。図５は、本実施例のプリアンブル系列の送信方法を説明するための図である。なお、図５では、基地局装置（ｅＮＢ）との間の通信を既に確立している移動機（ＵＥ）がハンドオーバやフレームの再同期を実行する際に実行されるプリアンブル系列の送信を示している。
【００２７】
まず、ｅＮＢは、送信すべきプリアンブル系列を指示するＲＡ  Ｐｒｅａｍｂｌｅ  ａｓｓｉｇｎｍｅｎｔ信号をＵＥに対して送信する（図５の（１）´参照）。このとき、ｅＮＢは、遅延プロファイルのサイドローブが漏れ込む可能性があるプリアンブル検出窓に対応するプリアンブル系列の送信を停止する旨の指示をＲＡ  Ｐｒｅａｍｂｌｅ  ａｓｓｉｇｎｍｅｎｔ信号としてＵＥに対して送信する。なお、遅延プロファイルのサイドローブが漏れ込む可能性があるプリアンブル検出窓は、例えば、図３の状態３３で示した系列番号ＣＳ＝Ｎ−２のプリアンブル検出窓である。
【００２８】
続いて、ＲＡ  Ｐｒｅａｍｂｌｅ  ａｓｓｉｇｎｍｅｎｔ信号を受信したＵＥは、Ｒａｎｄｏｍ  Ａｃｃｅｓｓ  Ｐｒｅａｍｂｌｅ信号をｅＮＢに対して送信する（図５の（２）´参照）。このとき、ＵＥは、遅延プロファイルのサイドローブが漏れ込む可能性があるプリアンブル検出窓に対応するプリアンブル系列の送信を停止し、それ以外のプリアンブル系列をＲａｎｄｏｍ  Ａｃｃｅｓｓ  Ｐｒｅａｍｂｌｅ信号としてｅＮＢに対して送信する。例えば、ＵＥは、図３の状態３３で示した系列番号ＣＳ＝Ｎ−２のプリアンブル検出窓に対応するプリアンブル系列の送信を停止し、系列番号ＣＳ＝１〜Ｎ−３およびＮ−１のプリアンブル系列をＲａｎｄｏｍ  Ａｃｃｅｓｓ  Ｐｒｅａｍｂｌｅ信号としてｅＮＢに対して送信する。
【００２９】
続いて、Ｒａｎｄｏｍ  Ａｃｃｅｓｓ  Ｐｒｅａｍｂｌｅ信号を受信したｅＮＢは、Ｒａｎｄｏｍ  Ａｃｃｅｓｓ  Ｒｅｓｐｏｎｓｅ信号をＵＥに対して返信する（図５の（３）´参照）。
【００３０】
このように、本実施例では、ＵＥによるプリアンブル系列の送信が開始される際に、まず、ｅＮＢが、遅延プロファイルのサイドローブが漏れ込む可能性があるプリアンブル検出窓に対応するプリアンブル系列の送信を停止するようにＵＥに対して指示する。これにより、ｅＮＢは、遅延プロファイルのサイドローブが漏れ込んだプリアンブル検出窓を用いてプリアンブル系列の検出を行うことを回避することができ、結果として、プリアンブル信号の誤検出を回避することができる。
【００３１】
次に、本実施例に係る基地局装置を含む無線通信システムの構成例について説明する。図６は、本実施例に係る基地局装置を含む無線通信システムの構成例を示す図である。図６に示す無線通信システムは、移動機（ＵＥ）１０、基地局装置（ｅＮＢ）２０およびｅＮＢ１００を含む。
【００３２】
ＵＥ１０は、移動可能な無線通信装置であり、例えば、携帯電話端末である。ＵＥ１０は、無線送受信部１１及び制御部１２を備える。なお、無線送受信部１１はアナログ回路等、制御部１２はＣＰＵ（Central Processing Unit）等のプロセッサにより実現することができる。
【００３３】
無線送受信部１１は、ハンドオーバ（ＨＯ：Hand Over）元ｅＮＢとなる後述のｅＮＢ２０との間で各種情報を送受する。また、無線送受信部１１は、ＨＯ先ｅＮＢとなるｅＮＢ１００に対し上述のプリアンブル系列を送信する。さらに、無線送受信部１１は、ｅＮＢ１００から、後述するプリアンブル系列の送信の停止を指示する信号を受信する。
【００３４】
制御部１２は、無線送受信部１１で受信したプリアンブル系列の送信の停止を指示する信号に基づき、ｅＮＢ１００へのプリアンブル系列の送信を規制（停止）する制御を行う。
【００３５】
ｅＮＢ２０およびｅＮＢ１００は、無線通信領域であるセルを収容し、自局が収容するセル内に位置するＵＥ１０に対して無線リンクを提供することでＵＥ１０と通信を行う基地局装置である。このうち、ｅＮＢ２０は、ＵＥ１０に対して無線リンクを既に提供し、ＵＥ１０と通信を行っている。一方、ｅＮＢ１００は、ＵＥ１０に対して無線リンクを未だ提供しておらず、ＵＥ１０と通信を行っていない。以下では、ＵＥ１０と通信するｅＮＢ２０をハンドオーバ（ＨＯ：Hand Over）元ｅＮＢと呼ぶことがあるものとし、ＵＥ１０と通信していないｅＮＢ１００をＨＯ先ｅＮＢと呼ぶことがあるものとする。ＨＯ先ｅＮＢとなるｅＮＢ１００が、本実施例の基地局装置に相当する。
【００３６】
ｅＮＢ１００は、ＩＦ部１１０、無線送受信部１２０およびプリアンブル送信指示制御部１３０を有する。ＩＦ部１１０は、ＨＯ元ｅＮＢとなるｅＮＢ２０との間で各種情報を送受する。無線送受信部１２０は、ＵＥ１０との間で各種情報を送受する。なお、無線送受信部１２０は、移動機に対し、後述するプリアンブル系列の送信の停止を指示する信号を送信する。
【００３７】
プリアンブル送信指示制御部１３０は、ＵＥ１０に対するプリアンブル系列の送信指示を制御する。具体的には、プリアンブル送信指示制御部１３０は、伝搬遅延量取得部１３１、伝搬遅延量推定部１３２、検出窓判定部１３３、系列送信指示部１３４およびプリアンブル系列検出部１３５を有する。
【００３８】
伝搬遅延量取得部１３１は、ＨＯ元ｅＮＢとなるｅＮＢ２０からｅＮＢ２０とＵＥ１０との間の伝搬遅延量であるＨＯ元伝搬遅延量を取得する。例えば、ｅＮＢ２０がＵＥ１０の位置を示すＧＰＳ（Global Positioning System）値を保持している場合には、伝搬遅延量取得部１３１は、ＧＰＳ値をＨＯ元伝搬遅延量として取得する。また、ｅＮＢ２０がＵＥ１０からの信号の遅延時間を示すＤｅｌａｙ値を保持している場合には、伝搬遅延量取得部１３１は、Ｄｅｌａｙ値をＨＯ元伝搬遅延量として取得する。伝搬遅延量取得部１３１は、取得部の一例である。
【００３９】
伝搬遅延量推定部１３２は、伝搬遅延量取得部１３１により取得されたＨＯ元伝搬遅延量に基づいて、ＨＯ先ｅＮＢとなるｅＮＢ１００とＵＥ１０との間の伝搬遅延量であるＨＯ先伝搬遅延量を推定する。伝搬遅延量推定部１３２は、推定部の一例である。
【００４０】
例えば、ＨＯ元伝搬遅延量がＵＥ１０のＧＰＳ値である場合に、伝搬遅延量推定部１３２は、ＵＥ１０のＧＰＳ値とｅＮＢ１００のＧＰＳ値とからＵＥ１０とｅＮＢ１００との距離を算出し、算出した距離を光速で除算することにより、ＨＯ先伝搬遅延量を推定する。
【００４１】
また、ＨＯ元伝搬遅延量がＤｅｌａｙ値である場合には、伝搬遅延量推定部１３２は、図７に示すようにしてＨＯ先伝搬遅延量を推定する。すなわち、伝搬遅延量推定部１３２は、ＨＯ先伝搬遅延量＝ｅＮＢ間伝搬遅延量−ＨＯ元伝搬遅延量という式を用いて、ＨＯ先伝搬遅延量を推定する。ただし、ｅＮＢ間伝搬遅延量は、ＨＯ元ｅＮＢとＨＯ先ｅＮＢとの距離を光速で除算することで得られる時間であり、予め内部メモリなどに保持されている。なお、図７は、伝搬遅延量推定部１３２による処理の一例を説明するための図（その１）である。図７の「ｅＮＢ＿１」は、ＨＯ元ｅＮＢとなるｅＮＢ２０に相当し、「ｅＮＢ＿２」は、ＨＯ先ｅＮＢとなるｅＮＢ１００に相当し、「ＵＥ」は、ＵＥ１０に相当する。
【００４２】
ここで、ＨＯ元ｅＮＢとＨＯ先ｅＮＢとを結ぶ直線近傍にＵＥが存在する場合には、図７に示した手法で推定されたＨＯ先伝搬遅延量は比較的に精度が高いと言える。ただし、図８に示したように、ＨＯ元ｅＮＢとＨＯ先ｅＮＢとを結ぶ直線から離れた位置にＵＥが存在する場合には、図７に示した手法で推定されたＨＯ先伝搬遅延量と実際のＨＯ先伝搬遅延量との間に推定誤差が生じる。この場合の伝搬遅延量推定部１３２による処理の具体例を、以下図８を用いて説明する。
【００４３】
図８は、伝搬遅延量推定部１３２による処理の一例を説明するための図（その２）である。図８の「ｅＮＢ＿１」は、ＨＯ元ｅＮＢとなるｅＮＢ２０に相当し、「ｅＮＢ＿２」は、ＨＯ先ｅＮＢとなるｅＮＢ１００に相当し、「ＵＥ」は、ＵＥ１０に相当する。まず、伝搬遅延量推定部１３２は、仮のＨＯ先伝搬遅延量＝ｅＮＢ間伝搬遅延量−ＨＯ元伝搬遅延量という式を用いて、仮のＨＯ先伝搬遅延量を算出する。そして、伝搬遅延量推定部１３２は、内部メモリに保持した補正係数テーブルから読み出した補正係数αを仮のＨＯ先伝搬遅延量に乗算することにより、ＨＯ先伝搬遅延量を推定する。補正係数テーブルは、ｅＮＢ２０のセクタと重複するｅＮＢ１００のセクタに対応して予め定められた補正係数を記憶する。なお、セクタとは、ｅＮＢが収容するセルを任意に分割した領域である。
【００４４】
図９は、補正係数テーブルの一例を示す図である。図９に示した補正係数テーブルは、ＨＯ元セクタ番号、ＨＯ先セクタ番号および補正係数αを対応付けて記憶する。ＨＯ元セクタ番号は、ＨＯ元ｅＮＢとなるｅＮＢ２０のセクタを識別するための識別番号である。ＨＯ先セクタ番号は、ＨＯ先ｅＮＢとなるｅＮＢ１００のセクタのうちｅＮＢ２０と重複するセクタを識別するための識別番号である。補正係数αは、仮のＨＯ先伝搬遅延量を補正するための補正係数αである。例えば、図９の１行目は、ｅＮＢ２０のセクタ＃「２」と重複するｅＮＢ１００のセクタ＃「６」にＵＥ１０が存在する場合に、仮のＨＯ先伝搬遅延量に乗算される補正係数αが「１．３」であることを示す。また、図９の２行目は、ｅＮＢ２０のセクタ＃「３」と重複するｅＮＢ１００のセクタ＃「６」にＵＥ１０が存在する場合に、仮のＨＯ先伝搬遅延量に乗算される補正係数αが「１．０」であることを示す。また、図９の３行目は、ｅＮＢ２０のセクタ＃「４」と重複するｅＮＢ１００のセクタ＃「６」にＵＥ１０が存在する場合に、仮のＨＯ先伝搬遅延量に乗算される補正係数αが「１．３」であることを示す。
【００４５】
図６に戻り、検出窓判定部１３３は、伝搬遅延量推定部１３２により推定されたＨＯ先伝搬遅延量（以下「推定伝搬遅延量」という）を取得する。そして、検出窓判定部１３３は、推定伝搬遅延量が、プリアンブル系列検出部１３５により用いられるプリアンブル検出窓の境界から所定の範囲に存在するか否かを判定する。検出窓判定部１３３は、判定部の一例である。
【００４６】
具体的には、検出窓判定部１３３は、推定伝搬遅延量がプリアンブル検出窓の始端側の境界から所定の範囲に存在するか否かを判定する。推定伝搬遅延量がプリアンブル検出窓の始端側の境界から所定の範囲に存在することは、ＵＥ１０がｅＮＢ１００の近傍に存在することを意味する。ＵＥ１０がｅＮＢ１００の近傍に存在すると、始端側の境界を介して隣接する他のプリアンブル検出窓に遅延プロファイルのサイドローブが漏れ込む可能性が高い。
【００４７】
一方、検出窓判定部１３３は、推定伝搬遅延量がプリアンブル検出窓の始端側の境界から所定の範囲に存在しない場合には、推定伝搬遅延量がプリアンブル検出窓の終端側の境界から所定の範囲に存在するか否かを判定する。推定伝搬遅延量がプリアンブル検出窓の終端側の境界から所定の範囲に存在することは、ＵＥ１０がｅＮＢ１００により収容されるセルの端部に存在することを意味する。ＵＥ１０がｅＮＢ１００により収容されるセルの端部に存在すると、終端側の境界を介して隣接する他のプリアンブル検出窓に遅延プロファイルのサイドローブが漏れ込む可能性が高い。
【００４８】
ここで、検出窓判定部１３３による処理の具体例を説明する。時間軸においてプリアンブル検出窓の始端側の境界が「０」であり、プリアンブル検出窓の終端側の境界が「Ｎｃｓｖａｌｕｅ」であるものとする。検出窓判定部１３３は、推定伝搬遅延量が時間軸上の「０」〜「ｔ１」の範囲に存在する場合に、推定伝搬遅延量がプリアンブル検出窓の始端側の境界近傍に存在すると判定する。また、検出窓判定部１３３は、推定伝搬遅延量が時間軸上の「ｔ２（＞ｔ１）」〜「Ｎｃｓｖａｌｕｅ」の範囲に存在する場合に、推定伝搬遅延量がプリアンブル検出窓の終端側の境界近傍に存在すると判定する。
【００４９】
系列送信指示部１３４は、検出窓判定部１３３により推定伝搬遅延量がプリアンブル検出窓の境界から所定の範囲に存在すると判定された場合に、隣接する他のプリアンブル検出窓に対応するプリアンブル系列の送信を停止するようＵＥ１０に対して指示する。具体的には、系列送信指示部１３４は、推定伝搬遅延量がプリアンブル検出窓の始端側の境界から所定の範囲に存在する場合に、始端側の境界を介して隣接する他のプリアンブル検出窓に対応するプリアンブル系列の送信を停止するようＵＥ１０に対して指示する。一方、系列送信指示部１３４は、推定伝搬遅延量がプリアンブル検出窓の終端側の境界から所定の範囲に存在する場合に、終端側の境界を介して隣接する他のプリアンブル検出窓に対応するプリアンブル系列の送信を停止するようＵＥ１０に対して指示する。系列送信指示部１３４は、指示部の一例である。
【００５０】
なお、上記の移動機に対するプリアンブル系列の送信を停止する指示の具体的処理は、ｅＮＢ１００からＵＥ１０へ、プリアンブル系列の送信の停止を指示する信号を送ることによりなされる。具体例として、系列送信指示部１３４は、当該指示の情報を、移動機へ送られるＲＡ  Ｐｒｅａｍｂｌｅ  ａｓｓｉｇｎｍｅｎｔ信号に含める制御を行う。この場合、無線送受信部１２０から当該指示の情報が含められたＲＡ  Ｐｒｅａｍｂｌｅ  ａｓｓｉｇｎｍｅｎｔ信号が移動機に送信される。
【００５１】
ここで、図１０および図１１を用いて、系列送信指示部１３４によるプリアンブル系列の送信指示の具体例を説明する。図１０は、推定伝搬遅延量がプリアンブル検出窓の始端側の境界近傍に存在する場合のプリアンブル系列の送信指示を説明するための図である。図１１は、推定伝搬遅延量がプリアンブル検出窓の終端側の境界近傍に存在する場合のプリアンブル系列の送信指示を説明するための図である。図１０および図１１の横軸は、時間を表し、縦軸は電力レベルを表す。また、時間軸においてプリアンブル検出窓の始端側の境界が「０」であり、プリアンブル検出窓の終端側の境界が「Ｎｃｓｖａｌｕｅ」であるものとする。
【００５２】
図１０において、推定伝搬遅延量が系列番号ＣＳ＝１のプリアンブル検出窓における「０」〜「ｔ１」の範囲に存在する。このため、系列送信指示部１３４は、始端側の境界「０」を介して隣接する系列番号ＣＳ＝０のプリアンブル検出窓に対応するプリアンブル系列の送信を停止するようＵＥ１０に対して指示する。これにより、遅延プロファイルのサイドローブが系列番号ＣＳ＝０のプリアンブル検出窓に漏れ込んだ場合に、プリアンブル系列検出部１３５が系列番号ＣＳ＝０のプリアンブル検出窓を用いてプリアンブル系列の検出を行うことを回避することができる。
【００５３】
一方、図１１において、推定伝搬遅延量が系列番号ＣＳ＝１のプリアンブル検出窓における「ｔ２（＞ｔ１）」〜「Ｎｃｓｖａｌｕｅ」の範囲に存在する。このため、系列送信指示部１３４は、終端側の境界「Ｎｃｓｖａｌｕｅ」を介して隣接する系列番号ＣＳ＝２のプリアンブル検出窓に対応するプリアンブル系列の送信を停止するようＵＥ１０に対して指示する。これにより、遅延プロファイルのサイドローブが系列番号ＣＳ＝２のプリアンブル検出窓に漏れ込んだ場合に、プリアンブル系列検出部１３５が系列番号ＣＳ＝２のプリアンブル検出窓を用いてプリアンブル系列の検出を行うことを回避することができる。
【００５４】
また、系列送信指示部１３４は、隣接する他のプリアンブル検出窓に対応するプリアンブル系列の送信を停止するようＵＥ１０に対して指示するとともに、他のプリアンブル検出窓を用いたプリアンブル系列の検出を停止するようプリアンブル系列検出部１３５に指示する。
【００５５】
プリアンブル系列検出部１３５は、プリアンブル系列の送信の有無を検出する。具体的には、プリアンブル系列検出部１３５は、まず、プリアンブル検出窓をプリアンブル系列の系列番号（ＣＳ＝０〜Ｎ−１）に対応付けて生成する。そして、プリアンブル系列検出部１３５は、ＵＥ１０から到来するプリアンブル系列と既知のプリアンブル系列とを相関演算して遅延プロファイルを求める。そして、プリアンブル系列検出部１３５は、求めた遅延プロファイルのピークと閾値とをプリアンブル検出窓内で比較することで、プリアンブル系列の送信の有無を検出する。このとき、プリアンブル系列検出部１３５は、系列送信指示部１３４により指示を受けたプリアンブル検出窓を用いたプリアンブル系列の検出を停止する。プリアンブル系列検出部１３５は、検出部の一例である。
【００５６】
なお、伝搬遅延量取得部１３１、伝搬遅延量推定部１３２および検出窓判定部１３３は、例えば、ＡＳＩＣ（Application Specific Integrated Circuit）やＦＰＧＡ (Field Programmable Gate Array)などの集積回路により構成することが可能である。また、系列送信指示部１３４およびプリアンブル系列検出部１３５は、例えば、ＡＳＩＣやＦＰＦＡなどの集積回路により構成することが可能である。さらに、伝搬遅延量取得部１３１、伝搬遅延量推定部１３２および検出窓判定部１３３は、ＣＰＵ（Central Processing Unit）やＭＰＵ（Micro Processing Unit）などの電子回路により構成することも可能である。また、系列送信指示部１３４およびプリアンブル系列検出部１３５は、ＣＰＵやＭＰＵなどの電子回路により構成することも可能である。
【００５７】
次に、図１２〜図１５を用いて、系列送信指示部１３４からの送信指示を受けたＵＥ１０が行うプリアンブル系列の送信について説明する。
【００５８】
図１２は、推定伝搬遅延量がプリアンブル検出窓の始端側の境界近傍に存在するＵＥ１０が１つである場合のプリアンブル系列の送信を示す図である。図１２の灰色の四角は、推定伝搬遅延量がプリアンブル検出窓の始端側の境界近傍に存在することを示す。図１２の黒色の四角は、ＵＥ１０がプリアンブル系列の送信を停止したことを示す。図１２の白色の四角は、ＵＥ１０がプリアンブル系列の送信を行ったことを示す。また、四角内の数字は、プリアンブル系列の系列番号を示す。
【００５９】
図１２から分かるように、推定伝搬遅延量がプリアンブル検出窓の始端側の境界近傍に存在する場合には、ＵＥ１０は、系列番号が一つ前のプリアンブル検出窓に対応するプリアンブル系列の送信を停止する。さらに、ＵＥ１０は、系列番号が一つ前のプリアンブル検出窓以外のプリアンブル検出窓に対応するプリアンブル系列を送信する。
【００６０】
図１３は、推定伝搬遅延量がプリアンブル検出窓の始端側の境界近傍に存在するＵＥ１０が２つである場合のプリアンブル系列の送信を示す図である。図１３の灰色の四角は、推定伝搬遅延量がプリアンブル検出窓の始端側の境界近傍に存在することを示す。図１３の黒色の四角は、ＵＥ１０がプリアンブル系列の送信を停止したことを示す。図１３の白色の四角は、ＵＥ１０がプリアンブル系列の送信を行ったことを示す。また、四角内の数字は、プリアンブル系列の系列番号を示す。
【００６１】
図１３から分かるように、推定伝搬遅延量がプリアンブル検出窓の始端側の境界近傍に存在する場合には、２つのＵＥ１０は、それぞれ、系列番号が一つ前のプリアンブル検出窓に対応するプリアンブル系列の送信を停止する。さらに、２つのＵＥ１０は、それぞれ、系列番号が一つ前のプリアンブル検出窓以外のプリアンブル検出窓に対応するプリアンブル系列を送信する。
【００６２】
図１４は、推定伝搬遅延量がプリアンブル検出窓の終端側の境界近傍に存在するＵＥ１０が１つである場合のプリアンブル系列の送信を示す図である。図１４の灰色の四角は、推定伝搬遅延量がプリアンブル検出窓の終端側の境界近傍に存在することを示す。図１４の黒色の四角は、ＵＥ１０がプリアンブル系列の送信を停止したことを示す。図１４の白色の四角は、ＵＥ１０がプリアンブル系列の送信を行ったことを示す。また、四角内の数字は、プリアンブル系列の系列番号を示す。
【００６３】
図１４から分かるように、推定伝搬遅延量がプリアンブル検出窓の終端側の境界近傍に存在する場合には、ＵＥ１０は、系列番号が一つ後のプリアンブル検出窓に対応するプリアンブル系列の送信を停止する。さらに、ＵＥ１０は、系列番号が一つ後のプリアンブル検出窓以外のプリアンブル検出窓に対応するプリアンブル系列を送信する。
【００６４】
図１５は、推定伝搬遅延量がプリアンブル検出窓の終端側の境界近傍に存在するＵＥ１０が２つである場合のプリアンブル系列の送信を示す図である。図１５の灰色の四角は、推定伝搬遅延量がプリアンブル検出窓の終端側の境界近傍に存在することを示す。図１５の黒色の四角は、ＵＥ１０がプリアンブル系列の送信を停止したことを示す。図１５の白色の四角は、ＵＥ１０がプリアンブル系列の送信を行ったことを示す。また、四角形内の数字は、プリアンブル系列の系列番号を示す。
【００６５】
図１５から分かるように、推定伝搬遅延量がプリアンブル検出窓の終端側の境界近傍に存在する場合には、２つのＵＥ１０は、それぞれ、系列番号が一つ後のプリアンブル検出窓に対応するプリアンブル系列の送信を停止する。さらに、２つのＵＥ１０は、それぞれ、系列番号が一つ後のプリアンブル検出窓以外のプリアンブル検出窓に対応するプリアンブル系列を送信する。
【００６６】
次に、本実施例に係る基地局装置による処理手順について説明する。図１６は、本実施例に係る基地局装置による処理手順を示すフローチャートである。図１６に示すように、ｅＮＢ１００の伝搬遅延量取得部１３１は、ＨＯ元ｅＮＢとなるｅＮＢ２０からＨＯ元伝搬遅延量を取得する（ステップＳ１０１）。続いて、伝搬遅延量推定部１３２は、伝搬遅延量取得部１３１により取得されたＨＯ元伝搬遅延量に基づいて、ＨＯ先伝搬遅延量を推定する（ステップＳ１０２）。
【００６７】
続いて、検出窓判定部１３３は、推定伝搬遅延量が、プリアンブル検出窓の境界から所定の範囲に存在するか否かを判定する（ステップＳ１０３）。具体的には、検出窓判定部１３３は、推定伝搬遅延量がプリアンブル検出窓の始端側の境界から所定の範囲に存在するか否かを判定する。そして、推定伝搬遅延量がプリアンブル検出窓の始端側の境界から所定の範囲に存在しない場合には、検出窓判定部１３３は、推定伝搬遅延量がプリアンブル検出窓の終端側の境界から所定の範囲に存在するか否かを判定する。
【００６８】
続いて、系列送信指示部１３４は、プリアンブル系列送信指示処理を行う（ステップＳ１０４）。以下では、プリアンブル系列送信処理の処理手順について説明する。
【００６９】
図１７は、プリアンブル系列送信指示処理の処理手順を示すフローチャートである。図１７に示すように、系列送信指示部１３４は、まず、プリアンブル系列の系列番号ＣＳを示すパラメータｎに０を設定する（ステップＳ２０１）。
【００７０】
そして、系列送信指示部１３４は、推定伝搬遅延量がプリアンブル検出窓の始端側の境界近傍に存在する場合（ステップＳ２０２肯定）、以下の処理を行う。すなわち、系列送信指示部１３４は、系列番号ＣＳ＝ｎ−１のプリアンブル検出窓に対応するプリアンブル系列の送信を停止するようＵＥ１０に対して指示する（ステップＳ２０３）。また、系列送信指示部１３４は、系列番号ＣＳ＝ｎ−１のプリアンブル検出窓を用いたプリアンブル系列の検出を停止するようプリアンブル系列検出部１３５に指示する（ステップＳ２０４）。なお、系列番号ＣＳ＝−１は、系列番号ＣＳ＝Ｎ−１に対応する。さらに、系列送信指示部１３４は、系列番号ＣＳ＝ｎのプリアンブル検出窓に対応するプリアンブル系列を送信するようＵＥ１０に対して指示する（ステップＳ２０５）。つまり、系列送信指示部１３４は、推定伝搬遅延量がプリアンブル検出窓の始端側の境界近傍に存在する場合、始端側の境界を介して隣接する他のプリアンブル検出窓に対応するプリアンブル系列の送信を停止するようＵＥ１０に対して指示する。その後、系列送信指示部１３４は、パラメータｎを１だけ加算し（ステップＳ２０６）、ステップＳ２１４に移行する。
【００７１】
一方、系列送信指示部１３４は、推定伝搬遅延量がプリアンブル検出窓の終端側の境界近傍に存在する場合（ステップＳ２０２否定、ステップＳ２０７肯定）、以下の処理を行う。すなわち、系列送信指示部１３４は、系列番号ＣＳ＝ｎ＋１のプリアンブル検出窓に対応するプリアンブル系列の送信を停止するようＵＥ１０に対して指示する（ステップＳ２０８）。また、系列送信指示部１３４は、系列番号ＣＳ＝ｎ＋１のプリアンブル検出窓を用いたプリアンブル系列の検出を停止するようプリアンブル系列検出部１３５に指示する（ステップＳ２０９）。さらに、系列送信指示部１３４は、系列番号ＣＳ＝ｎのプリアンブル検出窓に対応するプリアンブル系列を送信するようＵＥ１０に対して指示する（ステップＳ２１０）。つまり、系列送信指示部１３４は、推定伝搬遅延量がプリアンブル検出窓の終端側の境界近傍に存在する場合、終端側の境界を介して隣接する他のプリアンブル検出窓に対応するプリアンブル系列の送信を停止するようＵＥ１０に対して指示する。その後、系列送信指示部１３４は、パラメータｎを２だけ加算し（ステップＳ２１１）、ステップＳ２１４に移行する。
【００７２】
一方、系列送信指示部１３４は、推定伝搬遅延量がプリアンブル検出窓の始端側の境界近傍にも終端側の境界近傍にも存在しない場合（ステップＳ２０７否定）、以下の処理を行う。すなわち、系列送信指示部１３４は、遅延プロファイルのサイドローブが漏れ込む可能性があるプリアンブル検出窓が無いため、系列番号ＣＳ＝ｎのプリアンブル検出窓に対応するプリアンブル系列を送信するようＵＥ１０に対して指示する（ステップＳ２１２）。その後、系列送信指示部１３４は、パラメータｎを１だけ加算し（ステップＳ２１３）、ステップＳ２１４へ移行する。
【００７３】
ステップＳ２１４において、系列送信指示部１３４は、パラメータｎが最大の系列番号であるＮ−１以下である場合に（ステップＳ２１４肯定）、処理をステップＳ２０２に戻す。一方、系列送信指示部１３４は、パラメータｎがＮ−１を超えた場合に（ステップＳ２１４否定）、プリアンブル系列送信指示処理を終了する。
【００７４】
上述してきたように、本実施例に係るｅＮＢ１００は、推定伝搬遅延量がプリアンブル検出窓の境界近傍に存在する場合に、境界を介して隣接する他のプリアンブル検出窓に対応するプリアンブル系列の送信を停止するようＵＥ１０に指示する。ここで、推定伝搬遅延量がプリアンブル検出窓の境界近傍に存在することは、ＵＥ１０がｅＮＢ１００の近傍またはｅＮＢ１００により収容されるセルの端部に存在することを意味する。このため、ｅＮＢ１００は、ＵＥ１０がｅＮＢ１００の近傍またはｅＮＢ１００の収容するセルの端部に存在する場合に、遅延プロファイルのサイドローブが漏れ込んだプリアンブル検出窓を用いてプリアンブル系列の検出を行うことを回避することができる。結果として、移動機が基地局の近傍またはセルの端部に存在する場合のプリアンブル信号の誤検出を回避することができる。
【００７５】
また、本実施例に係るｅＮＢ１００は、推定伝搬遅延量がプリアンブル検出窓の境界近傍に存在する場合に、境界を介して隣接する他のプリアンブル検出窓を用いたプリアンブル系列の検出を停止するようプリアンブル系列検出部１３５に対して指示する。このため、遅延プロファイルのサイドローブが漏れ込んだプリアンブル検出窓を用いたプリアンブル系列の検出処理自体を省略することができ、プリアンブル信号の誤検出をより確実に回避することができる。
【符号の説明】
【００７６】
１０  ＵＥ（移動機）
２０  ｅＮＢ（他の基地局装置）
１００  ｅＮＢ（基地局装置）
１１０  ＩＦ部
１２０  無線送受信部
１３０  プリアンブル送信指示制御部
１３１  伝搬遅延量取得部
１３２  伝搬遅延量推定部
１３３  検出窓判定部
１３４  系列送信指示部
１３５  プリアンブル系列検出部
【図１】
0005673342.tif 000002
【図２】
0005673342.tif 000003
【図３】
0005673342.tif 000004
【図４】
0005673342.tif 000005
【図５】
0005673342.tif 000006
【図６】
0005673342.tif 000007
【図７】
0005673342.tif 000008
【図８】
0005673342.tif 000009
【図９】
0005673342.tif 000010
【図１０】
0005673342.tif 000011
【図１１】
0005673342.tif 000012
【図１２】
0005673342.tif 000013
【図１３】
0005673342.tif 000014
【図１４】
0005673342.tif 000015
【図１５】
0005673342.tif 000016
【図１６】
0005673342.tif 000017
【図１７】
0005673342.tif 000018